【手続補正書】
【提出日】平成16年7月29日(2004.7.29)
【手続補正１】
【補正対象書類名】特許請求の範囲
【補正対象項目名】全文
【補正方法】変更
【補正の内容】
【特許請求の範囲】
【請求項１】
受信装置との間で、パケット化されたデータを実時間伝送するデータ送信装置であって、
各パケットにシーケンスナンバーを付加するシーケンスナンバー付加手段と、
先に送信したパケットの受信を確認することなく、前記シーケンスナンバーを付加したパケットを送信するパケット送信手段と、
前記パケット送信手段からパケットを受信した前記受信装置が、前記シーケンスナンバーを用いてパケットロスを検出して再送要求を送信した場合に、当該再送要求に応じてパケットを再送するパケット再送手段と、
前記パケット送信手段によって送信されたパケットの受信状況と、前記パケット再送手段によって再送されたパケットの受信状況とを、前記受信装置から受信する受信報告受信手段とを備え、
前記受信報告受信手段は、パケットの受信状況と再送パケットの受信状況とを、１つのパケットに格納された状態で受信することを特徴とする、データ送信装置。
【請求項２】
送信装置との間で、パケット化されたデータを実時間伝送するデータ受信装置であって、
前記送信装置が各パケットにシーケンスナンバーを付加し、先に送信したパケットの受信を確認することなくパケットを送信した場合に、当該パケットを受信するパケット受信手段と、
前記シーケンスナンバーを用いて、前記パケット受信手段におけるパケットロスを検出するパケットロス検出手段と、
前記パケットロス検出手段がパケットロスを検出したときに、再送要求を送信する再送要求送信手段と、
前記送信装置が前記再送要求に応じてパケットを再送した場合に、当該パケットを受信する再送パケット受信手段と、
前記パケット受信手段におけるパケットの受信状況と、前記再送パケット受信手段における再送パケットの受信状況とを、前記送信装置に対して送信する受信報告送信手段とを備え、
前記受信報告送信手段は、パケットの受信状況と再送パケットの受信状況とを１つのパケットに格納して送信することを特徴とする、データ受信装置。
【請求項３】
受信側との間で、パケット化されたデータを実時間伝送するデータ送信方法であって、
各パケットにシーケンスナンバーを付加するシーケンスナンバー付加ステップと、
先に送信したパケットの受信を確認することなく、前記シーケンスナンバーを付加したパケットを送信するパケット送信ステップと、
前記パケット送信ステップにおいて送信されたパケットを受信した前記受信側が、前記シーケンスナンバーを用いてパケットロスを検出して再送要求を送信した場合に、当該再送要求に応じてパケットを再送するパケット再送ステップと、
前記パケット送信ステップにおいて送信されたパケットの受信状況と、前記パケット再送ステップにおいて再送されたパケットの受信状況とを、前記受信側から受信する受信報告受信ステップとを備え、
前記受信報告受信ステップは、パケットの受信状況と再送パケットの受信状況とを、１つのパケットに格納された状態で受信することを特徴とする、データ送信方法。
【請求項４】
送信側との間で、パケット化されたデータを実時間伝送するデータ受信方法であって、
前記送信側が各パケットにシーケンスナンバーを付加し、先に送信したパケットの受信を確認することなくパケットを送信した場合に、当該パケットを受信するパケット受信ステップと、
前記シーケンスナンバーを用いて、前記パケット受信ステップにおけるパケットロスを検出するパケットロス検出ステップと、
前記パケットロス検出ステップにおいてパケットロスが検出されたときに、再送要求を送信する再送要求送信ステップと、
前記送信側が前記再送要求に応じてパケットを再送した場合に、当該パケットを受信する再送パケット受信ステップと、
前記パケット受信ステップにおけるパケットの受信状況と、前記再送パケット受信ステップにおける再送パケットの受信状況とを、前記送信側に対して送信する受信報告送信ステップとを備え、
前記受信報告送信ステップは、パケットの受信状況と再送パケットの受信状況とを１つのパケットに格納して送信することを特徴とする、データ受信方法。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
第１の発明は、受信装置との間で、パケット化されたデータを実時間伝送するデータ送信装置であって、各パケットにシーケンスナンバーを付加するシーケンスナンバー付加手段と、先に送信したパケットの受信を確認することなく、シーケンスナンバーを付加したパケットを送信するパケット送信手段と、パケット送信手段からパケットを受信した受信装置が、シーケンスナンバーを用いてパケットロスを検出して再送要求を送信した場合に、当該再送要求に応じてパケットを再送するパケット再送手段と、パケット送信手段によって送信されたパケットの受信状況と、パケット再送手段によって再送されたパケットの受信状況とを、受信装置から受信する受信報告受信手段とを備え、受信報告受信手段は、パケットの受信状況と再送パケットの受信状況とを、１つのパケットに格納された状態で受信することを特徴とする。
【手続補正５】
【補正対象書類名】明細書
【補正対象項目名】００１７
【補正方法】変更
【補正の内容】
【００１７】
このような第１の発明によれば、データ伝送の実時間性を損なうことなく、送信装置は、受信装置における再送パケットの受信状況を知ることができるので、送信装置は、再送パケットの受信状況を用いて、データ伝送の制御を行うことができる。また、パケットの受信状況の報告に使用されるパケットに、再送パケットの受信状況を追加するだけで、容易に再送パケットの受信状況を知ることができる。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
第２の発明は、送信装置との間で、パケット化されたデータを実時間伝送するデータ受信装置であって、送信装置が各パケットにシーケンスナンバーを付加し、先に送信したパケットの受信を確認することなくパケットを送信した場合に、当該パケットを受信するパケット受信手段と、シーケンスナンバーを用いて、パケット受信手段におけるパケットロスを検出するパケットロス検出手段と、パケットロス検出手段がパケットロスを検出したときに、再送要求を送信する再送要求送信手段と、送信装置が再送要求に応じてパケットを再送した場合に、当該パケットを受信する再送パケット受信手段と、パケット受信手段におけるパケットの受信状況と、再送パケット受信手段における再送パケットの受信状況とを、送信装置に対して送信する受信報告送信手段とを備え、受信報告送信手段は、パケットの受信状況と再送パケットの受信状況とを１つのパケットに格納して送信することを特徴とする。
【手続補正９】
【補正対象書類名】明細書
【補正対象項目名】００２１
【補正方法】変更
【補正の内容】
【００２１】
このような第２の発明によれば、データ伝送の実時間性を損なうことなく、受信装置は、再送パケットの受信状況を報告することができるので、送信装置は、再送パケットの受信状況を用いて、データ伝送の制御を行うことができる。また、パケットの受信状況の報告に使用されるパケットに、再送パケットの受信状況を追加するだけで、容易に再送パケットの受信状況を報告することができる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
第３の発明は、受信側との間で、パケット化されたデータを実時間伝送するデータ送信方法であって、各パケットにシーケンスナンバーを付加するシーケンスナンバー付加ステップと、先に送信したパケットの受信を確認することなく、シーケンスナンバーを付加したパケットを送信するパケット送信ステップと、パケット送信ステップにおいて送信されたパケットを受信した受信側が、シーケンスナンバーを用いてパケットロスを検出して再送要求を送信した場合に、当該再送要求に応じてパケットを再送するパケット再送ステップと、パケット送信ステップにおいて送信されたパケットの受信状況と、パケット再送ステップにおいて再送されたパケットの受信状況とを、受信側から受信する受信報告受信ステップとを備え、受信報告受信ステップは、パケットの受信状況と再送パケットの受信状況とを、１つのパケットに格納された状態で受信することを特徴とする。
【手続補正１３】
【補正対象書類名】明細書
【補正対象項目名】００２５
【補正方法】変更
【補正の内容】
【００２５】
このような第３の発明によれば、データ伝送の実時間性を損なうことなく、送信側は、受信側における再送パケットの受信状況を知ることができるので、送信側は、再送パケットの受信状況を用いて、データ伝送の制御を行うことができる。また、パケットの受信状況の報告に使用されるパケットに、再送パケットの受信状況を追加するだけで、容易に再送パケットの受信状況を知ることができる。
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】変更
【補正の内容】
【００２８】
第４の発明は、送信側との間で、パケット化されたデータを実時間伝送するデータ受信方法であって、送信側が各パケットにシーケンスナンバーを付加し、先に送信したパケットの受信を確認することなくパケットを送信した場合に、当該パケットを受信するパケット受信ステップと、シーケンスナンバーを用いて、パケット受信ステップにおけるパケットロスを検出するパケットロス検出ステップと、パケットロス検出ステップにおいてパケットロスが検出されたときに、再送要求を送信する再送要求送信ステップと、送信側が再送要求に応じてパケットを再送した場合に、当該パケットを受信する再送パケット受信ステップと、パケット受信ステップにおけるパケットの受信状況と、再送パケット受信ステップにおける再送パケットの受信状況とを、送信側に対して送信する受信報告送信ステップとを備え、受信報告送信ステップは、パケットの受信状況と再送パケットの受信状況とを１つのパケットに格納して送信することを特徴とする。
【手続補正１７】
【補正対象書類名】明細書
【補正対象項目名】００２９
【補正方法】変更
【補正の内容】
【００２９】
このような第４の発明によれば、データ伝送の実時間性を損なうことなく、受信側は、再送パケットの受信状況を報告することができるので、送信側は、再送パケットの受信状況を用いて、データ伝送の制御を行うことができる。また、パケットの受信状況の報告に使用されるパケットに、再送パケットの受信状況を追加するだけで、容易に再送パケットの受信状況を報告することができる。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】